(57)【要約】      （修正有）【課題】壁面に吸着させる吸着式メイクポーチを提供する。【解決手段】吸着式メイクポーチはメイクポーチ外殻１２を含み、ねじヘッドをねじ孔１５に合わせて挿入し、吸着外殻を回転してスプラインプッシュブロックとねじヘッドを回転連動させ、ねじヘッドは前記ねじ孔とねじ山によって連結された後で固定され、吸着ゴム体が壁面に張り付き、ジッパー部品１１によって手を置きチャンバ２０の中に伸び、置きチャンバの左側壁を押し動かしてスプラインプッシュブロックを連動させて左に移動させ洗面台で洗面するとき、メイクポーチ外殻を吸着部品によって壁に吸着させ、洗面するときの水のしぶきはバッグに入らなく、洗面台の位置を占めなく、洗面しやすく、吸着部品は取り付けや解体が簡単である。【選択図】図１
2020179068.tif 000002
【特許請求の範囲】
【請求項１】
吸着式メイクポーチであって、メイクポーチ外殻を含み、前記メイクポーチ外殻の頂部には二つの対称的なハンドストラップが設けられ、前記メイクポーチ外殻の中には置きチャンバが設けられ、前記メイクポーチ外殻の中央にはジッパー部品が設けられ、前記メイクポーチ外殻の中には枠が設けられ、前記枠の左端には前後対称的なロック部品が設けられ、前記ロック部品は回転ブロックを含み、前記回転ブロックの中には左に開口したねじ孔が設けられ、前記ねじ孔の中にはセラミック壁面に吸着できる吸着部品がねじ山による取り付けられ、前記吸着部品はスプラインプッシュブロックを含み、前記スプラインプッシュブロックの右側端面にはねじヘッドが設けられ、前記ねじヘッドは前記ねじ孔とねじ山により連結でき、前記スプラインプッシュブロックの右側端面には吸着外殻が設けられ、前記吸着外殻の下方には回し外殻が固定的に取り付けられ、前記回し外殻の中には吸着部品の吸着状態を解除する解除部品が設けられ、前記解除部品は前記回し外殻の中に位置する回しチャンバを含み、前記回しチャンバの右側壁には回転軸が回転できるように取り付けられ、前記回転軸は前記回し外殻の左側端面を貫通することを特徴とする吸着式メイクポーチ。
【請求項２】
前記ロック部品は前記枠の左側端面に固定的に取り付けられる二つの前後対称的な固定ブロックを含み、前記固定ブロックの中には左に開口した回転溝が設けられ、前記回転溝の中には前記回転ブロックが回転できるように取り付けられ、前記吸着部品はまた前記吸着外殻の中に位置し且つ左に開口したプッシュ押し溝を含み、前記スプラインプッシュブロックは前記吸着外殻とスプラインにより連結され、前記スプラインプッシュブロックの左側端面にはプッシュ押し板が設けられ、前記プッシュ押し板は前記プッシュ押し溝の中に位置し、前記吸着外殻の左端には吸着ゴム体が設けられ、これにより吸着部品を取り付けるとき、前記ねじヘッドを前記ねじ孔に合わせて挿入し、前記吸着外殻を回して前記スプラインプッシュブロックと前記ねじヘッドを回転連動させ、前記ねじヘッドは前記ねじ孔とねじ山により連結された後で固定され、前記吸着ゴム体が壁面に張り付き、ジッパー部品によって手を置きチャンバの中に伸び、置きチャンバの左側壁を押し動かしてスプラインプッシュブロックを連動させて左に移動させ、スプラインプッシュブロックはプッシュ押し板を連動させて吸着ゴム体を押し動かし、吸着ゴム体の内部の空気を押し出し、これにより前記吸着ゴム体が壁面に張り付くことを特徴とする請求項１に記載の吸着式メイクポーチ。
【請求項３】
前記解除部品は前記回しチャンバの底壁に位置し且つ下に開口した回し溝を含み、前記回転軸の外側には回し接続ブロックが固定的に取り付けられ、前記回し接続ブロックの端面には回しロッドが設けられ、前記回しロッドは前記回し溝から差し出ており、前記回しロッドの端部には回しヘッドが設けられ、前記回し接続ブロックと前記回しチャンバの前後壁との間には対称的なバネが設けられ、前記回転軸の左側端面には切り込みブロックが設けられ、これにより通常状態では、回しロッドは二つのバネの作用により後端に位置し、この時切り込みブロックおよび回転軸は回しロッドに従って前端に位置し、吸着部品が壁面に吸着した状態を解除する場合、回しヘッドを回して回しロッドと回転軸を回転連動させ、回転軸は切り込みブロックを回転連動させ、切り込みブロックの回転に伴い、切り込みブロックは吸着ゴム体の左端面に徐々に切り込み、そして徐々に吸着ゴム体に入り、吸着ゴム体に空気が入った後、吸着部品を直接に取り外すことができる請求項１に記載の吸着式メイクポーチ。
【発明の詳細な説明】
【技術分野】
【０００１】
本発明はメイクポーチ分野を取り上げて、具体的に吸着式メイクポーチである。
【背景技術】
【０００２】
メイクポーチにたくさんの化粧品を入れることができ、メイクアップする時での取り扱いと交換に便利を与え、しかし洗面台で化粧をする時、台面に水があってメイクポーチを置けないこともあり、同時に、洗面時の水がメイクポーチの上または内部につける恐れがある。
【先行技術文献】
【特許文献】
【０００３】
【特許文献１】中国特許出願公開第１０３０８２６３６号明細書
【発明の概要】
【発明が解決しようとする課題】
【０００４】
本発明は吸着式メイクポーチを提供し、既存技術にある上記の欠点を解消することを目的とする。
【課題を解決するための手段】
【０００５】
本発明の吸着式メイクポーチはメイクポーチ外殻を含み、前記メイクポーチ外殻の頂部には二つの対称的なハンドストラップが設けられ、前記メイクポーチ外殻の中には置きチャンバが設けられ、前記メイクポーチ外殻の中央にはジッパー部品が設けられ、前記メイクポーチ外殻の中には枠が設けられ、前記枠の左端には前後対称的なロック部品が設けられ、前記ロック部品は回転ブロックを含み、前記回転ブロックの中には左に開口したねじ孔が設けられ、前記ねじ孔の中にはセラミック壁面に吸着できる吸着部品がねじ山による取り付けられ、前記吸着部品はスプラインプッシュブロックを含み、前記スプラインプッシュブロックの右側端面にはねじヘッドが設けられ、前記ねじヘッドは前記ねじ孔とねじ山により連結でき、前記スプラインプッシュブロックの右側端面には吸着外殻が設けられ、前記吸着外殻の下方には回し外殻が固定的に取り付けられ、前記回し外殻の中には吸着部品の吸着状態を解除する解除部品が設けられ、前記解除部品は前記回し外殻の中に位置する回しチャンバを含み、前記回しチャンバの右側壁には回転軸が回転できるように取り付けられ、前記回転軸は前記回し外殻の左側端面を貫通する。
【０００６】
前記ロック部品は前記枠の左側端面に固定的に取り付けられる二つの前後対称的な固定ブロックを含み、前記固定ブロックの中には左に開口した回転溝が設けられ、前記回転溝の中には前記回転ブロックが回転できるように取り付けられ、前記吸着部品はまた前記吸着外殻の中に位置し且つ左に開口したプッシュ押し溝を含み、前記スプラインプッシュブロックは前記吸着外殻とスプラインにより連結され、前記スプラインプッシュブロックの左側端面にはプッシュ押し板が設けられ、前記プッシュ押し板は前記プッシュ押し溝の中に位置し、前記吸着外殻の左端には吸着ゴム体が設けられる。
【０００７】
前記解除部品は前記回しチャンバの底壁に位置し且つ下に開口した回し溝を含み、前記回転軸の外側には回し接続ブロックが固定的に取り付けられ、前記回し接続ブロックの端面には回しロッドが設けられ、前記回しロッドは前記回し溝から差し出ており、前記回しロッドの端部には回しヘッドが設けられ、前記回し接続ブロックと前記回しチャンバの前後壁との間には対称的なバネが設けられ、前記回転軸の左側端面には切り込みブロックが設けられる。
【発明の効果】
【０００８】
本発明の有益な効果は：本発明は構造が簡単で、操作が便利で、洗面台で洗面するとき、メイクポーチ外殻を吸着部品によって壁に吸着させ、洗面するときの水のしぶきはバッグに入らなく、洗面台の位置を占めなく、洗面しやすく、吸着部品は取り付けや解体が簡単で、宣伝に値する。
【図面の簡単な説明】
【０００９】
【図１】図１は本発明の全体構成概略図
【図２】図２は吸着部品の構成概略図
【図３】図３は図２の中のＡ−Ａ方向の断面構成概略図
【図４】図４は図２の中のＢ−Ｂ方向の断面構成概略図
【発明を実施するための形態】
【００１０】
下記に図１〜４を合わせて本発明について詳しく説明します。説明を便利にさせるように、ここで下記の方位に規定します：下記の上下左右前後という方向は図１の自身の投影関係の上下左右前後の方向と一致します。
【００１１】
図１〜４を参照し、本発明の実施例の吸着式メイクポーチはメイクポーチ外殻１２を含み、前記メイクポーチ外殻１２の頂部には二つの対称的なハンドストラップ１０が設けられ、前記メイクポーチ外殻１２の中には置きチャンバ２０が設けられ、前記メイクポーチ外殻１２の中央にはジッパー部品１１が設けられ、前記メイクポーチ外殻１２の中には枠１８が設けられ、前記枠１８の左端には前後対称的なロック部品９０１が設けられ、前記ロック部品９０１は回転ブロック１６を含み、前記回転ブロック１６の中には左に開口したねじ孔１５が設けられ、前記ねじ孔１５の中にはセラミック壁面に吸着できる吸着部品９０２がねじ山による取り付けられ、前記吸着部品９０２はスプラインプッシュブロック２２を含み、前記スプラインプッシュブロック２２の右側端面にはねじヘッド２１が設けられ、前記ねじヘッド２１は前記ねじ孔１５とねじ山により連結でき、前記スプラインプッシュブロック２２の右側端面には吸着外殻２３が設けられ、前記吸着外殻２３の下方には回し外殻２７が固定的に取り付けられ、前記回し外殻２７の中には吸着部品９０２の吸着状態を解除する解除部品９０３が設けられ、前記解除部品９０３は前記回し外殻２７の中に位置する回しチャンバ３０を含み、前記回しチャンバ３０の右側壁には回転軸２８が回転できるように取り付けられ、前記回転軸２８は前記回し外殻２７の左側端面を貫通する。
【００１２】
前記ロック部品９０１は前記枠１８の左側端面に固定的に取り付けられる二つの前後対称的な固定ブロック１３を含み、前記固定ブロック１３の中には左に開口した回転溝１４が設けられ、前記回転溝１４の中には前記回転ブロック１６が回転できるように取り付けられ、前記吸着部品９０２はまた前記吸着外殻２３の中に位置し且つ左に開口したプッシュ押し溝２５を含み、前記スプラインプッシュブロック２２は前記吸着外殻２３とスプラインにより連結され、前記スプラインプッシュブロック２２の左側端面にはプッシュ押し板２４が設けられ、前記プッシュ押し板２４は前記プッシュ押し溝２５の中に位置し、前記吸着外殻２３の左端には吸着ゴム体２６が設けられ、これにより吸着部品９０２を取り付けるとき、前記ねじヘッド２１を前記ねじ孔１５に合わせて挿入し、前記吸着外殻２３を回して前記スプラインプッシュブロック２２と前記ねじヘッド２１を回転連動させ、前記ねじヘッド２１は前記ねじ孔１５とねじ山により連結された後で固定され、前記吸着ゴム体２６が壁面に張り付き、ジッパー部品１１によって手を置きチャンバ２０の中に伸び、置きチャンバ２０の左側壁を押し動かしてスプラインプッシュブロック２２を連動させて左に移動させ、スプラインプッシュブロック２２はプッシュ押し板２４を連動させて吸着ゴム体２６を押し動かし、吸着ゴム体２６の内部の空気を押し出し、これにより前記吸着ゴム体２６が壁面に張り付き、吸着が完了し、回転溝１４と回転ブロック１６とが回転できるように連結されるため、メイクポーチ外殻１２が壁面に張り付くときに傾き、使いやすくなる。
【００１３】
前記解除部品９０３は前記回しチャンバ３０の底壁に位置し且つ下に開口した回し溝３５を含み、前記回転軸２８の外側には回し接続ブロック３６が固定的に取り付けられ、前記回し接続ブロック３６の端面には回しロッド３３が設けられ、前記回しロッド３３は前記回し溝３５から差し出ており、前記回しロッド３３の端部には回しヘッド３７が設けられ、前記回し接続ブロック３６と前記回しチャンバ３０の前後壁との間には対称的なバネ３４が設けられ、前記回転軸２８の左側端面には切り込みブロック３８が設けられ、これにより通常状態では、回しロッド３３は二つのバネ３４の作用により後端に位置し、この時切り込みブロック３８および回転軸２８は回しロッド３３に従って前端に位置し、吸着部品９０２が壁面に吸着した状態を解除する場合、回しヘッド３７を回して回しロッド３３と回転軸２８を回転連動させ、回転軸２８は切り込みブロック３８を回転連動させ、切り込みブロック３８の回転に伴い、切り込みブロック３８は吸着ゴム体２６の左端面に徐々に切り込み、そして徐々に吸着ゴム体２６に入り、吸着ゴム体２６に空気が入った後、吸着部品９０２を直接に取り外すことができ、吸着が解除される。
【００１４】
吸着部品９０２を取り付けるとき、前記ねじヘッド２１を前記ねじ孔１５に合わせて挿入し、前記吸着外殻２３を回転して前記スプラインプッシュブロック２２と前記ねじヘッド２１を回転連動させ、前記ねじヘッド２１は前記ねじ孔１５とねじ山によって連結された後で固定され、前記吸着ゴム体２６が壁面に張り付き、ジッパー部品１１によって手を置きチャンバ２０の中に伸び、置きチャンバ２０の左側壁を押し動かしてスプラインプッシュブロック２２を連動させて左に移動させ、スプラインプッシュブロック２２はプッシュ押し板２４を連動させて吸着ゴム体２６を押し動かし、吸着ゴム体２６の内部の空気を押し出し、これにより前記吸着ゴム体２６が壁面に張り付き、吸着が完了する。
【００１５】
通常状態では、回しロッド３３は二つのバネ３４の作用により後端に位置し、この時切り込みブロック３８および回転軸２８は回しロッド３３と共に前端に位置し、吸着部品９０２が壁面に吸着した状態を解除する時、回しヘッド３７を回して回しロッド３３と回転軸２８を回転連動させ、回転軸２８は切り込みブロック３８を回転連動させ、切り込みブロック３８の回転に伴い、切り込みブロック３８は吸着ゴム体２６の左端面に徐々に切り込み、そして徐々に吸着ゴム体２６の中に入り、吸着ゴム体２６に空気が入った後、吸着部品９０２を直接に取り外すことができ、吸着が解除される。
【００１６】
使う時、吸着部品９０２によってメイクポーチ外殻１２を壁面に吸着させ、ジッパー部品１１によってメイクポーチ外殻１２を開け、化粧品を置きチャンバ２０から取り出すことができ、あるいは化粧品を置きチャンバ２０に入れることができる。
【００１７】
本発明の有益な効果は：本発明は構造が簡単で、操作が便利で、洗面台で洗面するとき、メイクポーチ外殻を吸着部品によって壁に吸着させ、洗面するときの水のしぶきはバッグに入らなく、洗面台の位置を占めなく、洗面しやすく、吸着部品は取り付けや解体が簡単で、宣伝に値する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179068.tif 000003
【図２】
2020179068.tif 000004
【図３】
2020179068.tif 000005
【図４】
2020179068.tif 000006
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
吸着式メイクポーチであって、メイクポーチ外殻を含み、前記メイクポーチ外殻の頂部には二つの対称的なハンドストラップが設けられ、前記メイクポーチ外殻の中には保存空間が設けられ、前記メイクポーチ外殻の中央にはジッパー部品が設けられ、前記メイクポーチ外殻の中には枠が設けられ、前記枠の左端には前後対称的なロック部品が設けられ、前記ロック部品は回転ブロックを含み、前記回転ブロックの中には左に開口したねじ孔が設けられ、前記ねじ孔の中にはセラミック壁面に吸着できる吸着部品がねじ山により連結され、前記吸着部品はプッシュブロックを含み、前記プッシュブロックの右側端面にはねじヘッドが設けられ、前記ねじヘッドは前記ねじ孔とねじ山により連結され、前記プッシュブロックの右側端面には吸着外殻が設けられ、前記吸着外殻の下方には回し外殻が固定的に取り付けられ、前記回し外殻の中には吸着部品の吸着状態を解除する解除部品が設けられ、前記解除部品は前記回し外殻の中に位置する回しチャンバを含み、前記回しチャンバの右側壁には回転軸が回転できるように取り付けられ、前記回転軸は前記回し外殻の左側端面を貫通することを特徴とする吸着式メイクポーチ。
【請求項２】
前記ロック部品は前記枠の左側端面に固定的に取り付けられる二つの前後対称的な固定ブロックを含み、前記固定ブロックの中には左に開口した回転溝が設けられ、前記回転溝の中には前記回転ブロックが回転できるように取り付けられ、前記吸着部品はまた前記吸着外殻の中に位置し且つ左に開口したプッシュ押し溝を含み、前記プッシュブロックは前記吸着外殻とスライドできるように連結され、前記プッシュブロックの左側端面にはプッシュ押し板が設けられ、前記プッシュ押し板は前記プッシュ押し溝の中に位置し、前記吸着外殻の左端には吸着ゴム体が設けられ、これにより吸着部品を取り付けるとき、前記ねじヘッドを前記ねじ孔に合わせて挿入し、前記吸着外殻を回して前記プッシュブロックと前記ねじヘッドを回転連動させ、前記ねじヘッドは前記ねじ孔とねじ山により連結された後で固定され、前記吸着ゴム体が壁面に張り付き、ジッパー部品によって手を保存空間の中に伸び、保存空間の左側壁を押し動かしてプッシュブロックを連動させて左に移動させ、プッシュブロックはプッシュ押し板を連動させて吸着ゴム体を押し動かし、吸着ゴム体の内部の空気を押し出し、これにより前記吸着ゴム体が壁面に張り付くことを特徴とする請求項１に記載の吸着式メイクポーチ。
【請求項３】
前記解除部品は前記回しチャンバの底壁に位置し且つ下に開口した回し溝を含み、前記回転軸の外側には回し接続ブロックが固定的に取り付けられ、前記回し接続ブロックの端面には回しロッドが設けられ、前記回しロッドは前記回し溝から差し出ており、前記回しロッドの端部には回しヘッドが設けられ、前記回し接続ブロックと前記回しチャンバの前後壁との間には対称的なバネが設けられ、前記回転軸の左側端面には切り込みブロックが設けられ、これにより通常状態では、回しロッドは二つのバネの作用により後端に位置し、この時切り込みブロックおよび回転軸は回しロッドに従って前端に位置し、吸着部品が壁面に吸着した状態を解除する場合、回しヘッドを回して回しロッドと回転軸を回転連動させ、回転軸は切り込みブロックを回転連動させ、切り込みブロックの回転に伴い、切り込みブロックは吸着ゴム体の左端面に徐々に切り込み、そして徐々に吸着ゴム体に入り、吸着ゴム体に空気が入った後、吸着部品を直接に取り外すことができる請求項１に記載の吸着式メイクポーチ。
【手続補正２】
【補正対象書類名】明細書
【補正対象項目名】全文
【補正方法】変更
【補正の内容】
【発明の詳細な説明】
【技術分野】
【０００１】
本発明はメイクポーチ分野を取り上げて、具体的に吸着式メイクポーチである。
【背景技術】
【０００２】
メイクポーチにたくさんの化粧品を入れることができ、メイクアップする時での取り扱いと交換に便利を与え、しかし洗面台で化粧をする時、台面に水があってメイクポーチを置けないこともあり、同時に、洗面時の水がメイクポーチの上または内部につける恐れがある。
【先行技術文献】
【特許文献】
【０００３】
【特許文献１】中国特許出願公開第１０３０８２６３６号明細書
【発明の概要】
【発明が解決しようとする課題】
【０００４】
本発明は吸着式メイクポーチを提供し、既存技術にある上記の欠点を解消することを目的とする。
【課題を解決するための手段】
【０００５】
本発明の吸着式メイクポーチはメイクポーチ外殻を含み、前記メイクポーチ外殻の頂部には二つの対称的なハンドストラップが設けられ、前記メイクポーチ外殻の中には保存空間が設けられ、前記メイクポーチ外殻の中央にはジッパー部品が設けられ、前記メイクポーチ外殻の中には枠が設けられ、前記枠の左端には前後対称的なロック部品が設けられ、前記ロック部品は回転ブロックを含み、前記回転ブロックの中には左に開口したねじ孔が設けられ、前記ねじ孔の中にはセラミック壁面に吸着できる吸着部品がねじ山により連結され、前記吸着部品はプッシュブロックを含み、前記プッシュブロックの右側端面にはねじヘッドが設けられ、前記ねじヘッドは前記ねじ孔とねじ山により連結され、前記プッシュブロックの右側端面には吸着外殻が設けられ、前記吸着外殻の下方には回し外殻が固定的に取り付けられ、前記回し外殻の中には吸着部品の吸着状態を解除する解除部品が設けられ、前記解除部品は前記回し外殻の中に位置する回しチャンバを含み、前記回しチャンバの右側壁には回転軸が回転できるように取り付けられ、前記回転軸は前記回し外殻の左側端面を貫通する。
【０００６】
前記ロック部品は前記枠の左側端面に固定的に取り付けられる二つの前後対称的な固定ブロックを含み、前記固定ブロックの中には左に開口した回転溝が設けられ、前記回転溝の中には前記回転ブロックが回転できるように取り付けられ、前記吸着部品はまた前記吸着外殻の中に位置し且つ左に開口したプッシュ押し溝を含み、前記プッシュブロックは前記吸着外殻とスライドできるように連結され、前記プッシュブロックの左側端面にはプッシュ押し板が設けられ、前記プッシュ押し板は前記プッシュ押し溝の中に位置し、前記吸着外殻の左端には吸着ゴム体が設けられる。
【０００７】
前記解除部品は前記回しチャンバの底壁に位置し且つ下に開口した回し溝を含み、前記回転軸の外側には回し接続ブロックが固定的に取り付けられ、前記回し接続ブロックの端面には回しロッドが設けられ、前記回しロッドは前記回し溝から差し出ており、前記回しロッドの端部には回しヘッドが設けられ、前記回し接続ブロックと前記回しチャンバの前後壁との間には対称的なバネが設けられ、前記回転軸の左側端面には切り込みブロックが設けられる。
【発明の効果】
【０００８】
本発明の有益な効果は：本発明は構造が簡単で、操作が便利で、洗面台で洗面するとき、メイクポーチ外殻を吸着部品によって壁に吸着させ、洗面するときの水のしぶきはバッグに入らなく、洗面台の位置を占めなく、洗面しやすく、吸着部品は取り付けや解体が簡単で、宣伝に値する。
【図面の簡単な説明】
【０００９】
【図１】図１は本発明の全体構成概略図
【図２】図２は吸着部品の構成概略図
【図３】図３は図２の中のＡ−Ａ方向の断面構成概略図
【図４】図４は図２の中のＢ−Ｂ方向の断面構成概略図
【発明を実施するための形態】
【００１０】
下記に図１〜４を合わせて本発明について詳しく説明します。説明を便利にさせるように、ここで下記の方位に規定します：下記の上下左右前後という方向は図１の自身の投影関係の上下左右前後の方向と一致します。
【００１１】
図１〜４を参照し、本発明の実施例の吸着式メイクポーチはメイクポーチ外殻１２を含み、前記メイクポーチ外殻１２の頂部には二つの対称的なハンドストラップ１０が設けられ、前記メイクポーチ外殻１２の中には保存空間２０が設けられ、前記メイクポーチ外殻１２の中央にはジッパー部品１１が設けられ、前記メイクポーチ外殻１２の中には枠１８が設けられ、前記枠１８の左端には前後対称的なロック部品９０１が設けられ、前記ロック部品９０１は回転ブロック１６を含み、前記回転ブロック１６の中には左に開口したねじ孔１５が設けられ、前記ねじ孔１５の中にはセラミック壁面に吸着できる吸着部品９０２がねじ山により連結され、前記吸着部品９０２はプッシュブロック２２を含み、前記プッシュブロック２２の右側端面にはねじヘッド２１が設けられ、前記ねじヘッド２１は前記ねじ孔１５とねじ山により連結され、前記プッシュブロック２２の右側端面には吸着外殻２３が設けられ、前記吸着外殻２３の下方には回し外殻２７が固定的に取り付けられ、前記回し外殻２７の中には吸着部品９０２の吸着状態を解除する解除部品９０３が設けられ、前記解除部品９０３は前記回し外殻２７の中に位置する回しチャンバ３０を含み、前記回しチャンバ３０の右側壁には回転軸２８が回転できるように取り付けられ、前記回転軸２８は前記回し外殻２７の左側端面を貫通する。
【００１２】
前記ロック部品９０１は前記枠１８の左側端面に固定的に取り付けられる二つの前後対称的な固定ブロック１３を含み、前記固定ブロック１３の中には左に開口した回転溝１４が設けられ、前記回転溝１４の中には前記回転ブロック１６が回転できるように取り付けられ、前記吸着部品９０２はまた前記吸着外殻２３の中に位置し且つ左に開口したプッシュ押し溝２５を含み、前記プッシュブロック２２は前記吸着外殻２３とスライドできるように連結され、前記プッシュブロック２２の左側端面にはプッシュ押し板２４が設けられ、前記プッシュ押し板２４は前記プッシュ押し溝２５の中に位置し、前記吸着外殻２３の左端には吸着ゴム体２６が設けられ、これにより吸着部品９０２を取り付けるとき、前記ねじヘッド２１を前記ねじ孔１５に合わせて挿入し、前記吸着外殻２３を回して前記プッシュブロック２２と前記ねじヘッド２１を回転連動させ、前記ねじヘッド２１は前記ねじ孔１５とねじ山により連結された後で固定され、前記吸着ゴム体２６が壁面に張り付き、ジッパー部品１１によって手を保存空間２０の中に伸び、保存空間２０の左側壁を押し動かしてプッシュブロック２２を連動させて左に移動させ、プッシュブロック２２はプッシュ押し板２４を連動させて吸着ゴム体２６を押し動かし、吸着ゴム体２６の内部の空気を押し出し、これにより前記吸着ゴム体２６が壁面に張り付き、吸着が完了し、回転溝１４と回転ブロック１６とが回転できるように連結されるため、メイクポーチ外殻１２が壁面に張り付くときに傾き、使いやすくなる。
【００１３】
前記解除部品９０３は前記回しチャンバ３０の底壁に位置し且つ下に開口した回し溝３５を含み、前記回転軸２８の外側には回し接続ブロック３６が固定的に取り付けられ、前記回し接続ブロック３６の端面には回しロッド３３が設けられ、前記回しロッド３３は前記回し溝３５から差し出ており、前記回しロッド３３の端部には回しヘッド３７が設けられ、前記回し接続ブロック３６と前記回しチャンバ３０の前後壁との間には対称的なバネ３４が設けられ、前記回転軸２８の左側端面には切り込みブロック３８が設けられ、これにより通常状態では、回しロッド３３は二つのバネ３４の作用により後端に位置し、この時切り込みブロック３８および回転軸２８は回しロッド３３に従って前端に位置し、吸着部品９０２が壁面に吸着した状態を解除する場合、回しヘッド３７を回して回しロッド３３と回転軸２８を回転連動させ、回転軸２８は切り込みブロック３８を回転連動させ、切り込みブロック３８の回転に伴い、切り込みブロック３８は吸着ゴム体２６の左端面に徐々に切り込み、そして徐々に吸着ゴム体２６に入り、吸着ゴム体２６に空気が入った後、吸着部品９０２を直接に取り外すことができ、吸着が解除される。
【００１４】
吸着部品９０２を取り付けるとき、前記ねじヘッド２１を前記ねじ孔１５に合わせて挿入し、前記吸着外殻２３を回転して前記プッシュブロック２２と前記ねじヘッド２１を回転連動させ、前記ねじヘッド２１は前記ねじ孔１５とねじ山によって連結された後で固定され、前記吸着ゴム体２６が壁面に張り付き、ジッパー部品１１によって手を保存空間２０の中に伸び、保存空間２０の左側壁を押し動かしてプッシュブロック２２を連動させて左に移動させ、プッシュブロック２２はプッシュ押し板２４を連動させて吸着ゴム体２６を押し動かし、吸着ゴム体２６の内部の空気を押し出し、これにより前記吸着ゴム体２６が壁面に張り付き、吸着が完了する。
【００１５】
通常状態では、回しロッド３３は二つのバネ３４の作用により後端に位置し、この時切り込みブロック３８および回転軸２８は回しロッド３３と共に前端に位置し、吸着部品９０２が壁面に吸着した状態を解除する時、回しヘッド３７を回して回しロッド３３と回転軸２８を回転連動させ、回転軸２８は切り込みブロック３８を回転連動させ、切り込みブロック３８の回転に伴い、切り込みブロック３８は吸着ゴム体２６の左端面に徐々に切り込み、そして徐々に吸着ゴム体２６の中に入り、吸着ゴム体２６に空気が入った後、吸着部品９０２を直接に取り外すことができ、吸着が解除される。
【００１６】
使う時、吸着部品９０２によってメイクポーチ外殻１２を壁面に吸着させ、ジッパー部品１１によってメイクポーチ外殻１２を開け、化粧品を保存空間２０から取り出すことができ、あるいは化粧品を保存空間２０に入れることができる。
【００１７】
本発明の有益な効果は：本発明は構造が簡単で、操作が便利で、洗面台で洗面するとき、メイクポーチ外殻を吸着部品によって壁に吸着させ、洗面するときの水のしぶきはバッグに入らなく、洗面台の位置を占めなく、洗面しやすく、吸着部品は取り付けや解体が簡単で、宣伝に値する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。